(57)【要約】【課題】  シンプルな構成で記録装置に対して給紙カセットを引き込み及び固定可能とし、機構の信頼性向上と省スペース化をおこなう。【解決手段】  カセットの一方の側面に位置し、カセットの挿入方向と略直交する方向に移動可能で、かつカセット側面を押圧する側に弾性部材により付勢されたカセット押圧部材を有する構成としている。  またカセット押圧部材はカセットの側面を押圧し、その押圧力がカセットが挿入される方向に働く分力と、挿入方向と直交する方向に働く分力とが発生するように構成されている。  また記録装置本体に設けられたカセット位置決め部として、カセット挿入方行に略直交する方向のカセット位置決め部が、押圧部材を挟んでカセット挿入方向の前後に構成され、カセット挿入方向の位置決め部が、押圧部材とカセット挿入方向に略直交する方向の位置決め部を挟んで反対側に位置し、かつ押圧部材の略押圧方向に位置するように構成されている。【選択図】  図４
2008001490.tif 000002
【特許請求の範囲】
【請求項１】
記録装置に着脱可能な記録媒体を積載するための給紙カセットを有する記録装置において、
前記記録装置本体に、前記給紙カセットの引き込み及び固定手段として、給紙カセットの一方の側面に位置し、給紙カセットの挿入方向と略直交する方向に移動可能で、かつ給紙カセット側面を押圧する側に弾性部材により付勢されたカセット押圧部材を有することを特徴とする記録装置。
【請求項２】
前記カセット押圧部材は前記給紙カセットの側面を押圧し、その押圧力は給紙カセットが挿入される方向に働く分力と、挿入方向と直交する方向に働く分力とが発生するように構成されていることを特徴とする請求項1に記載の記録装置。
【請求項３】
前記記録装置本体に設けられた給紙カセット位置決め部は、給紙カセット挿入方行に略直交する方向の給紙カセット位置決め部が、前記カセット押圧部材を挟んで給紙カセット挿入方向の前後に構成され、給紙カセット挿入方向の位置決め部が、前記カセット押圧部材と給紙カセット挿入方向に略直交する方向の位置決め部を挟んで反対側に位置し、かつ前記カセット押圧部材の略押圧方向に位置することを特徴とする請求項1に記載の記録装置。
【発明の詳細な説明】
【技術分野】
【０００１】
本発明は記録装置本体に記録媒体を積載するための給紙カセットを着脱可能に構成された記録装置に関する。
【背景技術】
【０００２】
給紙カセットを着脱自在に構成する記録装置は、数多く製品化されており、かつ給紙カセットの記録装置本体に対する引き込み方法や固定方法についても多くの提案がされている。その一例として、カセット引き込みレバーとカセット引き込みレバーを付勢する引き込みバネ、そして引き込みレバーを案内するカム溝とを有する構成が提案されている。（例えば、特許文献１参照。）。
【特許文献１】特開平9-240888号（図１０）
【発明の開示】
【発明が解決しようとする課題】
【０００３】
しかしながら上記従来例の記録装置におけるカセット引き込み及び固定機構は、構成が複雑でかつ省スペース化が難しいという難点があった。
【課題を解決するための手段】
【０００４】
上記目的を達成するため本発明の記録装置は、記録装置本体に給紙カセット（以下、単にカセットとも言う）の引き込み及び固定手段として、カセットの一方の側面に位置し、カセットの挿入方向と略直交する方向に移動可能で、かつカセット側面を押圧する側に弾性部材により付勢されたカセット押圧部材を有する構成としている。
【０００５】
またカセット押圧部材はカセットの側面を押圧し、その押圧力がカセットが挿入される方向に働く分力と、挿入方向と直交する方向に働く分力とが発生するように構成されている。
【０００６】
また記録装置本体に設けられたカセット位置決め部として、カセット挿入方行に略直交する方向のカセット位置決め部が、押圧部材を挟んでカセット挿入方向の前後に構成され、カセット挿入方向の位置決め部が、押圧部材とカセット挿入方向に略直交する方向の位置決め部を挟んで反対側に位置し、かつ押圧部材の略押圧方向に位置するように構成されている。
【発明の効果】
【０００７】
本発明によれば、非常にシンプルな構成で記録装置に対して給紙カセットを引き込み及び固定可能とすることが出来るため、機構の信頼性も向上し、かつ省スペース化が可能となる。
【発明を実施するための最良の形態】
【０００８】
以下、本発明の実施形態について図面を参照して説明する。
【０００９】
図１は、本発明を適用した記録装置の全体構成を示す、模式的斜視図である。また図２は図１における矢印Ａ方向から見た、記録装置の全体構成を示す模式的断面図である。また図３は記録装置の前方下部に着脱される給紙カセット周辺の模式的斜視図である。
【００１０】
図１および図２に示すように、本実施形態の記録装置は、記録ユニット本体１、記録ユニット本体１の構造を支えるシャーシ１０、インクを吐出して記録を行う記録ヘッド１１および記録ヘッド１１へ供給するインクを蓄えるインクタンク１２を保持して、シート状の被記録媒体である被記録用紙の搬送方向（副走査方向）に対して直交方向（主走査方向）に走査するキャリッジ１３、キャリッジ１３を支持するガイドシャフト１４、ガイドシャフト１４と平行にキャリッジ１３を支持するガイドレール１５、キャリッジ１３を駆動するためのキャリッジベルト１６、キャリッジベルト１６を駆動するキャリッジモータ１７、キャリッジ１３の位置を検出するためのコードストリップ１８、およびキャリッジモータ１７のプーリと対向してキャリッジベルト１６を張架するアイドルプーリ１９を有している。
【００１１】
さらに、記録装置は、被記録用紙を搬送する紙送りローラ２１、紙送りローラ２１に押圧されて従動するピンチローラ２２、ピンチローラ２２を回転可能に保持するピンチローラホルダ２３、ピンチローラ２２を紙送りローラ２１に圧接するピンチローラばね２４、紙送りローラ２１に固定された紙送りローラプーリ２５、紙送りローラ２１を駆動するＬＦモータ２６、紙送りローラ２１の回転角度を検出するためのコードホイール２７、記録ヘッド１１に対向配置された、被記録用紙を支えるプラテン２９、紙送りローラ２１と協働して被記録用紙を搬送する第１の排紙ローラ３０、第１の排紙ローラ３０の下流側に設けられた第２の排紙ローラ３１、第１の排紙ローラ３０に対向して被記録用紙を保持する第１の拍車列３２、第２の排紙ローラ３１と対向して被記録用紙を保持する第２の拍車列３３、第１の拍車列３２と第２の拍車列３３を回転可能に保持する拍車ベース３４を有している。
【００１２】
さらに、記録装置は、記録ヘッド１１のノズルからインクを吸引して目詰まりを防止したり、インクタンク１２を交換した時に記録ヘッド１１のノズルからインクを吸引して記録ヘッド１１の流路内の気泡等を除去したりする際に使用するメインテナンスユニット３６、被記録用紙を積載し、記録動作時に被記録用紙を１枚ずつ記録装置に供給するメインＡＳＦ(Automatic Sheet Feeder)３７、メインＡＳＦ３７の土台となるＡＳＦベース３８、メインＡＳＦ３７に積載された被記録用紙に当接し搬送を行う給紙ローラ３９、複数枚の被記録用紙が同時に搬送された時に１枚ずつに分離する分離ローラ４０、被記録用紙を積載し、被記録用紙を給紙ローラ３９の方向に付勢するための圧板４１、圧板４１上に設けられ、任意の被記録用紙の幅に固定可能なサイドガイド４２、給紙動作時に給紙ローラ３９と分離ローラ４０とのニップ部よりも先に進んでしまった被記録用紙の先端を所定位置まで戻すための戻し爪（不図示）を有している。
【００１３】
さらに図３に示すように、記録動作時に略水平方向から被記録用紙を１枚ずつ記録装置に供給するＰＦU（Paper Feed Unit）６０、ＰＦＵ６０の土台となるＰＦベース６１、ＰＦＵ６０から被記録用紙を給紙させるために被記録用紙を積載する給紙カセット８０、給紙カセット８０に積載された被記録用紙に当接し搬送を行うカセット給紙ローラ６２、複数枚の被記録用紙が同時に搬送された時に１枚ずつに分離するカセット分離ローラ６３、給紙動作時にカセット給紙ローラ６２とカセット分離ローラ６３とのニップ部よりも先に進んでしまった被記録用紙の先端を所定位置まで戻すためのカセット戻し爪６４を有している。
【００１４】
次に図３、図４、図5を用いて給紙カセット８０とその記録装置周辺部を説明する。図４は給紙カセット８０を本体に着脱させるために記録装置下部に構成されているカセット引き込みおよびロック機構の周辺を示す模式的斜視図、図５はカセット引き込みおよびロック機構を装置上方から見た部分拡大図である。
【００１５】
給紙カセット８０は、カセットの外枠を構成するインナーカセット８１、アウターカセット８２、被記録用紙を積載し、被記録用紙をカセット給紙ローラ６２の方向に付勢するためのカセット圧板８３、インナーカセット８１上に設けられ任意の被記録用紙の横サイズに固定可能なカセットサイドガイド８４、アウターカセット８２上に設けられ、任意の被記録用紙の縦サイズに固定可能なカセットエンドガイド８５を有している。
【００１６】
さらに記録装置下部には、給紙カセット８０の記録装置本体への着脱をガイドするカセットレールＬ（不図示）、カセットレールＲ６６、被記録用紙を積載したカセット圧板８３にカセット給紙ローラ６２の方向へ付勢力を与えるための圧板バネＬ（不図示）、圧板バネＲ６８、圧板バネＬ（不図示）の付勢力を受けて上下運動をする圧板アームＬ６９、圧板バネＲ６８の付勢力を受けて上下運動をする圧板アームＲ７０を有し、この圧板アームＬ６９と圧板アームＲ７０にカセット圧板の当接部８３ａ、８３ｂが載る形で保持されている。またカセット給紙ローラ６２の左右軸端部には、圧板アームＬ６９と圧板アームＲ７０の上下運動を制御するピックアップカムＬ７４、ピックアップカムＲ７５が取り付けられ、カセット給紙ローラ６２が回転することにより、圧板アームＬ６９、圧板アームＲ７０が上下運動するため、カセット圧板８３はカセット給紙ローラ６２の方向へ付勢され、それにより被記録材を給紙している。
【００１７】
また、記録装置下部でカセット８０の一方の側面にカセット８０の挿入方向と略直交する方向に移動可能なカセットロック部材９０と、カセットロック部材９０を給紙カセット８０側へ付勢するカセットロックばね９１が構成されており、カセットロック部材９０でインナーカセット８１を押圧することにより、給紙カセット８０の記録装置本体への引き込みと位置決めを行っている。
【００１８】
次に、給紙カセット８０に取り付けられるカセットカバーについて図４、図６、図７を用いて説明する。図６はカセットカバーをつけた状態の給紙カセット斜視図で、図７は図６のＹ−Ｙ断面図である。カセットカバー９２はアウターカセット８２の上部に着脱可能な構成となっている。これは給紙カセット８０の記録装置本体から外に飛び出す部分をカバーし、塵や埃が被記録用紙の上に入らないようにするためのものである。カセットカバー９２は図４に示されているアウターカセット８２に設けられた８２ａ〜８２ｆの６つの突起により固定されている。水平方向に容易に外れたりしないように、アウターカセットに設けられた突起８２ａ．ｂ．ｃ．ｄが設けられており、カセットの挿入方向への外れを防止するために突起８２ｃ、８２ｄが設けられている。そして、その逆方向には突起８２ｅ、８２ｆにより止められる構成となっている。
【００１９】
以上が本発明を適用した記録装置の概略構成である。次に本実施形態のカセット引きこみ機構の具体的構成を説明する。
【００２０】
次に図８と図９を用いて、カセット引き込みと位置決め動作を説明する。図８、図９はカセット引き込み時の一連の動作を表す図で、図８は記録装置下部を上方から見たときの、カセット引き込み及び位置決め機構の模式的上面図。図９は記録装置下部を下方から見たときの、カセット引き込み及び位置決め機構の模式的下面図である。なお、図８、図９の（ａ）〜（ｃ）はお互いに同位置での状態を示す物とする。
【００２１】
図８（ａ）、図９（ａ）は給紙カセットが記録装置本体に挿入される始め、インナーカセット８１のロック受け部８１ａの導入斜面８１ｂがカセットロック部材９０に当接し始めた状態を示し、インナーカセット８１に設けられた導入斜面８１ｂによりカセットロック部材９０を、押し逃がす方向へ向かわせている。
【００２２】
図８（ｂ）、図９（ｂ）はロック受け部８１ａがカセットロック部材９０を最も押し逃がした位置から少し移動した状態を示している。この時カセットロック部材９０はカセットロックばね９１の付勢力によりロック受け部８１ａを押圧し、カセットロック部材９０の押圧面９０ａをカセット挿入方向に対して斜めに形成しているため、ロック受け部８１ａはカセット挿入方向の作用力Ｆｙとカセット幅方向への作用力Ｆｘを受ける。このカセット挿入方向の分力Ｆｙはカセットを記録装置本体に引き込む推進力となり、この時点から給紙カセット８０がばね力により自動で引き込まれていく。
【００２３】
次に図８（ｃ）、図９（ｃ）は、それぞれの（ｂ）の状態からカセットが引き込まれ、記録装置本体に位置決めされた状態を示す。この時、カセット押圧部材９０はカセット挿入方向に対して斜めに形成されてた押圧面９０ａでロック受け部８１ａを押すため、（ｂ）の図で説明したようにカセットはカセット挿入方向の作用力Ｆｙとカセット幅方向への作用力Ｆｘを受ける。ここでカセットの幅方向の位置決め部８１ｃと８１ｄは、カセットロック部材９０を挟んでカセット挿入方向の前後に構成されているので、確実にカセットの幅方向の位置決め部が、記録装置本体のベース２に設けられた位置決め面２ａ、２ｂに押し当てられて位置決めされる。また、カセット挿入方向の位置決め部８１ｅは、記録装置本体のＰＦベース６１の位置決め面６１ａに押し当てられ同様に位置決めされる。ここでカセット挿入方向の位置決め部８１ｅはカセットロック部材９０とカセット挿入方向に略直交する方向の位置決め部８１ｃ、８１ｄを挟んで反対側に位置し、かつカセットロック部材９０の押圧方向Ｆに対して略同一方向に構成されているので、確実に押し当てることの出来る構成となっている。
【００２４】
以上、説明してきたように本発明の構成によれば、非常にシンプルな構成で記録装置に対して給紙カセットを引き込み及び固定可能とすることが出来るため、機構の信頼性も向上し、かつ省スペース化が可能となる。
【図面の簡単な説明】
【００２５】
【図１】本発明の一実施形態に係る記録装置の全体構成を示す模式的斜視図。
【図２】本発明の一実施形態に係る記録装置の全体構成を示す模式的側断面図。
【図３】本発明の一実施形態に係る記録装置の給紙カセット周辺の模式的斜視図。
【図４】本発明の一実施形態に係る記録装置下部に構成されているカセット引き込みおよびロック機構の周辺を示す模式的斜視図。
【図５】本発明の一実施形態に係る記録装置のカセット引き込みおよびロック機構を装置上方から見た部分拡大図。
【図６】本発明の一実施形態に係るカセットカバーをつけた状態の給紙カセットを示す模式的斜視図。
【図７】本発明の一実施形態に係るカセットカバーをつけた状態の給紙カセットを示す模式的断面図。
【図８】本発明の一実施形態に係るカセット引き込み時の一連の動作を記録装置下部を上方から見たときの、カセット引き込み及び位置決め機構の模式的上面図。
【図９】本発明の一実施形態に係るカセット引き込み時の一連の動作を記録装置下部を下方から見たときの、カセット引き込み及び位置決め機構の模式的上面図。
【符号の説明】
【００２６】
１  記録ユニット本体
２  ベース
２ａ  カセット位置決め面
２ｂ  カセット位置決め面
１０  シャーシ
１１  記録ヘッド
１２  インクタンク
１３  キャリッジ
１４  ガイドシャフト
１５  ガイドレール
１６  キャリッジベルト
１７  キャリッジモータ
１８  コードストリップ
１９  アイドラプーリ
２１  紙送りローラ
２２  ピンチローラ
２３  ピンチローラホルダ
２４  ピンチローラばね
２５  紙送りローラプーリ
２６  ＬＦモータ
２７  コードホイール
２９  プラテン
３０  第１排紙ローラ
３１  第２排紙ローラ
３２  第１拍車列
３３  第２拍車列
３４  拍車ベース
３６  メインテナンスユニット
３７  メインＡＳＦ
３８  ＡＳＦベース
３９  給紙ローラ
４０  分離ローラ
４１  圧板
４２  サイドガイド
６０  PFU（PAPER FEED UNIT）
６１  PF ベース
６２  カセット給紙ローラ
６３  カセット分離ローラ
６４  カセット戻し爪
６６  カセットレールR
６８  圧板バネR
６９  圧板アームL
７０  圧板アームR
７４  ピックアップカムＬ
７５  ピックアップカムＲ
８０  給紙カセット
８１  インナーカセット
８１ａ  インナーカセットのロック受け部
８１ｂ  インナーカセットの導入斜面
８１ｃ  インナーカセットの幅方向の位置決め部
８２ｄ  インナーカセットの幅方向の位置決め部
８２ｅ  インナーカセットのカセット挿入方向の位置決め部
８２  アウターカセット
８２ａ〜８２ｆ  アウターカセットの突起
８３  カセット圧板
８３ａ  カセット圧板の圧板アームＬとの当接部
８３ｂ  カセット圧板の圧板アームＲとの当接部
８４  カセットサイドガイド
８５  カセットエンドガイド
９０  カセットロック部材
９１  カセットロックばね
９２  カセットカバー
Ｆ  カセットロック部材がインナーカセットを押す力
Ｆｘ  カセットロック部材がインナーカセットをカセット幅方向に押す分力
Ｆｙ  カセットロック部材がインナーカセットをカセット挿入方向に押す分力
【図１】
2008001490.tif 000003
【図２】
2008001490.tif 000004
【図３】
2008001490.tif 000005
【図４】
2008001490.tif 000006
【図５】
2008001490.tif 000007
【図６】
2008001490.tif 000008
【図７】
2008001490.tif 000009
【図８】
2008001490.tif 000010
【図９】
2008001490.tif 000011